(57)【要約】本発明は、ユーザ装置ＵＥが、連続する送信の廃棄を防止するために、予想される次の送信シーケンス番号を連続して更新する必要があるときの、通信ネットワークにおける方法とデバイスとに関する。本方法は、前記ネットワークおよび移動端末における、予想される次の送信シーケンス番号値を、所定の不活性時間の後に所定の値に再設定するステップを備える。
2010530173.tif 000002
【特許請求の範囲】
【請求項１】
移動端末において通信を管理するための方法であって、
共有あて先アドレスを有し、初期共有シーケンス番号とデータを搬送するペイロードとを含む初期送信ユニットを受信するステップと、
前記初期送信ユニットが正しく受信されたか判定するステップと、
共通あて先アドレスと共通シーケンス番号とを有する送信ユニットに関連するタイマを起動するステップと、
前記タイマが満了したことを判定するステップと、
予想される次の送信ユニットに対する前記シーケンス番号の値と前記移動端末の中の受信機ウインドウの上限値とを所定の初期値に再設定するステップと
を有することを特徴とする方法。
【請求項２】
送信ユニットを正しく受信し、かつ、前記タイマが稼働中であると判定した後に、前記移動端末の中の再順序付け機能に関連する前記タイマを再設定するステップをさらに有することを特徴とする請求項１に記載の方法。
【請求項３】
前記タイマが満了したと判定したときに、後続する次の送信ユニットの受信へと進むステップをさらに有することを特徴とする請求項１または２に記載の方法。
【請求項４】
前記初期送信ユニットは、データダウンリンクチャネルに接続した状態にある前記移動端末を使用して制御チャネル上で受信されることを特徴とする請求項１ないし３のいずれか一項に記載の方法。
【請求項５】
前記状態は、エンハンストＣＥＬＬ＿ＦＡＣＨ状態を含むことを特徴とする請求項４に記載の方法。
【請求項６】
前記移動端末は、ＦＤＤ（周波数分割複信）無線通信ネットワークまたはＴＤＤ（時分割複信）無線通信ネットワークにおいて動作することを特徴とする請求項１ないし５のいずれか一項に記載の方法。
【請求項７】
前記共有あて先アドレスは、共通Ｈ−ＲＮＴＩ（ＨＳ−ＤＳＣＨ無線網臨時ＩＤ）であることを特徴とする請求項１ないし６のいずれか一項に記載の方法。
【請求項８】
無線通信ネットワークにおける通信のための移動端末であって、
共有あて先アドレスを有し、共有シーケンス番号とデータを搬送するペイロードとを含む送信ユニットを受信するための通信ユニット（ＣＵ）と、
受信した前記送信ユニットを調べ、それらが正しく受信されたか判定するよう構成された処理ユニット（ＣＰＵ）と、
共有あて先アドレスと共有シーケンス番号とを有する送信ユニットに関連するタイマを備える測定ユニット（ＭＵ）と
を備え、
前記処理ユニット（ＣＰＵ）は、共有あて先アドレスと共有シーケンス番号とを有する初期送信ユニットが正しく受信されたときに、前記測定ユニット（ＭＵ）に対して前記タイマを起動するように命令するようさらに構成され、
前記処理ユニットは、前記タイマが満了したときに、予想される次の送信ユニットに対する前記シーケンス番号と、前記処理ユニットの受信ウインドウの上限値とを所定の初期値に再設定するようさらに構成されることを特徴とする移動端末。
【請求項９】
無線通信ネットワークにおける通信のためのインフラストラクチャノード（ＢＳ）であって、
共有あて先アドレスに送信されるべき、共有シーケンス番号とデータを搬送するペイロードとを含む送信ユニットを形成するよう構成される処理ユニット（ＣＰＵ）と、
前記送信ユニットを前記共有あて先アドレスに送信するための通信ユニット（ＣＵ）と、
共有あて先アドレスと共有シーケンス番号とを有する送信ユニットに関連する少なくとも１つのタイマを備える測定ユニット（ＭＵ）と
を備え、
前記処理ユニット（ＣＰＵ）は、共有あて先アドレスに初期送信ユニットを送信する際に、前記測定ユニット（ＭＵ）に対して、前記１つ以上のタイマを起動するように命令するよう構成され、
前記処理ユニット（ＣＰＵ）は、前記タイマが満了した際に、予想される次の送信ユニットに対する前記シーケンス番号と前記送信ウインドウの上限値を所定の初期値に再設定するようさらに構成されることを特徴とするインフラストラクチャノード（ＢＳ）。
【請求項１０】
前記測定ユニットの中の前記少なくとも１つのタイマのそれぞれは、前記送信ユニットに対する１つの共有あて先アドレスに関連することを特徴とする請求項８に記載の基地局。
【請求項１１】
移動端末における通信を管理するためのコンピュータプログラムであって、
共有あて先アドレスを有し、初期共有シーケンス番号とデータを搬送するペイロードとを含む初期送信ユニットを受信し、
前記初期送信ユニットが正しく受信されたか判定し、
共通あて先アドレスと共通シーケンス番号とを有する送信ユニットに関連するタイマを起動し、
前記タイマが満了したことを判定し、
予想される次の送信ユニットに対する前記シーケンス番号の値と前記移動端末の中の受信機ウインドウの上限値を所定の初期値に再設定する
ための命令セットを含むことを特徴とするコンピュータプログラム。
【発明の詳細な説明】
【技術分野】
【０００１】
本発明は無線通信ネットワークにおけるデータ伝送の取り扱いに関する。より具体的には、本発明は無線通信ネットワークにおける送信機と受信機との間における連続するデータ伝送の廃棄を回避することに関する。
【背景技術】
【０００２】
最新世代の無線通信ネットワークにおいては、また特に、高速ダウンリンクパケットアクセス（ＨＳＤＰＡ、Ｈｉｇｈ  Ｓｐｅｅｄ  Ｄｏｗｎｌｉｎｋ  Ｐａｃｋｅｔ  Ａｃｃｅｓｓ）に基づいた無線通信ネットワークにおいては、１つの基地局から１つ以上の移動端末（ＵＥ）に対して送信されるデータは、高速ダウンリンク共有チャネル（ＨＳ−ＤＳＣＨ、Ｈｉｇｈ  Ｓｐｅｅｄ  Ｄｏｗｎｌｉｎｋ  Ｓｈａｒｅｄ  Ｃｈａｎｎｅｌ）等の高速チャネルの上で伝送するようスケジューリングすることができる。
【０００３】
また、これらのネットワークにおけるＵＥは、基地局によってサービスを提供されるサービスエリアにおいて、異なる状態にあることができる。これらの状態は、ＣＥＬＬ＿ＤＣＨ状態、ＣＥＬＬ＿ＦＡＣＨ状態、エンハンストＣＥＬＬ＿ＦＡＣＨ状態、および他の状態であり、これらは当業者には公知である。
【０００４】
ＣＥＬＬ＿ＤＣＨ状態においては、ＨＳ＿ＤＳＣＨの上で送信されるデータは転送ブロック（ＴＢ、ｔｒａｎｓｐｏｒｔ  ｂｌｏｃｋ）に組み入れられる。それぞれの転送ブロックは、転送ブロックのヘッダ部分に送信シーケンス番号（ＴＳＮ）、および、ペイロード部分にＭＡＣ−ｄＰＤＵ（専用メディアアクセス制御パケットデータユニット）またはＭＡＣ−ｃＰＤＵ（共通メディアアクセス制御ＰＤＵ）の形式のユーザデータ等を含む。ＵＥは、受信した転送ブロックに対するバッファとしての再順序付けキュー（ｒｅｏｒｄｅｒｉｎｇ  ｑｕｅｕｅ）と、転送ブロックヘッダからの送信シーケンス番号と、さらに制御チャネルの上で送信された制御情報とを使用して、基地局から受信した転送ブロックを正しい順序に順序付けし、そしてＭＡＣ−ｄＰＤＵまたはＭＡＣ−ｃＰＤＵとして高位のレイヤにそれらを転送することができる。転送ブロックの再順序付けをより効率的に行うために、それぞれのＵＥは、送信シーケンス番号を持つ転送ブロックを受信する、一定の大きさを有する受信機ウインドウ（ｒｅｃｅｉｖｅｒ  ｗｉｎｄｏｗ）と、正しく受信されない転送ブロックがある場合に再順序付けキューの中におけるそれら転送ブロックの停滞（ｓｔａｌｌｉｎｇ）を予防するタイマ（Ｔ１タイマ）とを有する。
【０００５】
転送ブロックが正しく受信された後に、ＵＥは予想される次の転送ブロックに対する送信シーケンス番号を指示するパラメータを更新する。
【０００６】
ＵＥにおいて受信される転送ブロックに対する、この再順序付けのメカニズムは、個別の送信シーケンス番号およびＴ１タイマを基本として行われる。これに関しては、例えば、第３世代パートナーシッププロジェクト（３ＧＰＰ）規格ＴＳ２５．３２１を参照されたい。しかしながら、ＨＳ−ＤＳＣＨの上の送信データが共通Ｈ−ＲＮＴＩを使用する場合には、ネットワークにおいて個別のＵＥに対して個別の送信シーケンス番号およびＴ１タイマを保持することはできない。ネットワークにおいて単一の送信シーケンス番号およびＴ１タイマが、いくつかのＵＥに対して使用される必要がある。
【０００７】
さらに、ＨＳＤＰＡを基本とする無線ネットワークにおいては、エンハンストＣＥＬＬ＿ＦＡＣＨ状態は、ＣＥＬＬ＿ＦＡＣＨ状態におけるＨＳ−ＤＳＣＨの上でのデータの受信を取り入れる。従って、より高いデータレートの可能性が導入される。ＣＥＬＬ＿ＦＡＣＨ状態におけるＨＳ−ＤＳＣＨでのデータの受信は、ＣＥＬＬ＿ＤＣＨ状態におけるＨＳ−ＤＳＣＨでのデータの受信と同様であるが、いくつかの相違がある。これらの相違に関しては以下で述べる。
【０００８】
エンハンストＣＥＬＬ＿ＦＡＣＨ状態におけるユーザ装置（ＵＥ）は、ＨＡＲＱ（Ｈｙｂｒｉｄ  Ａｕｔｏｍａｔｉｃ  Ｒｅｐｅａｔ  ｒｅＱｕｅｓｔ）フィードバック信号（ＡＣＫ／ＮＡＣＫ）を送信することなくＨＳ−ＤＳＣＨの上で再送信を受信する。従って、転送ネットワークはデータが正しく受信されたか否かを知らない。しかし再送信はネットワークによって知らないまま（ｂｌｉｎｄｌｙ）決定される。
【０００９】
また、エンハンストＣＥＬＬ＿ＦＡＣＨ状態では、共通ＨＳ−ＤＳＣＨ無線網臨時ＩＤ（Ｈ−ＲＮＴＩ、Ｈ−ＤＳＣＨ  Ｒａｄｉｏ  Ｎｅｔｗｏｒｋ  Ｔｅｍｐｏｒａｒｙ  Ｉｄｅｎｔｉｆｉｅｒ）を使用してＵＥにデータを送信する可能性が提供される。ＨＳ−ＤＰＡネットワークにおけるＨ−ＲＮＴＩは、基地局のサービスエリアにおけるＵＥの単なる論理アドレスである。２つ以上のＵＥが１つの共通Ｈ−ＲＮＴＩを共有することが可能である。これは、基地局のサービスエリアに入ってきたＵＥが初期ＨＳ−ＤＳＣＨを確立する段階で、まだ専用Ｈ−ＲＮＴＩが割り当てられていない場合に必要である。
【００１０】
エンハンストＣＥＬＬ＿ＦＡＣＨ状態では、通常、予想される次の送信シーケンス番号（ｎｅｘｔ  ｅｘｐｅｃｔｅｄ  ＴＳＮ）の初期値は、ＵＥの中で０に設定され、そして、廃棄ウインドウ（ｄｉｓｃａｒｄ  ｗｉｎｄｏｗ）は、［６３−ＷＩＮＤＯＷ＿ＳＩＺＥ．．．６３］に設定される。ここで、ＷＩＮＤＯＷ＿ＳＩＺＥは受信機ウインドウの大きさを示す。廃棄ウインドウは、転送ブロックの再順序付けに対して受け入れられない受信機ウインドウの一部として規定することができる。
【００１１】
ここで、ネットワークは共通Ｈ−ＲＮＴＩを使用するすべてのＵＥに対して共通の送信シーケンス番号を使用しているので、ＵＥによって受信される最初の送信シーケンス番号は廃棄ウインドウの中にある可能性が強い。この場合は、ＵＥは受信した送信信号を廃棄してしまうであろう。
【００１２】
この課題に対する１つの解決策は、非特許文献１の中で提案されている。これは、予想される次の送信シーケンス番号に対して特定の初期値を割り当てるステップと、最初に受信した送信シーケンス番号に基づいて廃棄ウインドウを初期化するステップとから構成される。この解決策によって、初期送信信号を廃棄してしまう問題点が解決される。しかしながら、連続する送信信号を廃棄することを防止するためには、ＵＥは、連続して受信をしている間、予想される次の送信シーケンス番号を連続して更新する必要がある。このためには、全ての（またはいくつかの）送信された送信シーケンス番号がＵＥによって正しく受信される必要がある。実際は、ＨＳ−ＳＣＣＨは電力制御されており、ＵＥが全ての送信シーケンス番号を受信することは困難である可能性がある。
【先行技術文献】
【非特許文献】
【００１３】
【非特許文献１】「Ｓｏｌｕｔｉｏｎ  ｔｏ  ｒｅｏｒｄｅｒｉｎｇ  ｉｓｓｕｅ  ｉｎ  Ｅｎｈａｎｃｅｄ  ＣＥＬＬ＿ＦＡＣＨ」、３ＧＰＰ  ＴＳＧ−ＲＡＮ  ＷＧ２＃５７ｂｉｓ、Ｋｏｂｅ、Ｊａｐａｎ、５月７−１１、２００７
【発明の概要】
【発明が解決しようとする課題】
【００１４】
本発明は、既知の技術に関する問題点の少なくともいくつかに関して、解決策を提供するものである。
【課題を解決するための手段】
【００１５】
本発明の１つの視点は移動端末における通信を管理するための方法に関するものであり、本方法は、
−共有あて先アドレスを有し、初期共有シーケンス番号とデータを運ぶペイロードとを含む初期送信ユニットを受信するステップと、
−前記初期送信ユニットが正しく受信されたかを判定するステップと、
−共通あて先アドレスと共通シーケンス番号とを有する送信ユニットに関連するタイマを起動するステップと、
−タイマが満了したことを判定するステップと、
−予想される次の送信ユニットに対するシーケンス番号の値と移動端末の中の受信機ウインドウの上限値とを所定の初期値に再設定（リセット）するステップとを備える。
【００１６】
この態様においては、共有あて先アドレス（ＨＳＤＰＡネットワークにおいては共通Ｈ−ＲＮＴＩ等）を使用しているＵＥに送信される初期転送ブロックは、ＵＥによって廃棄されることはないであろう。特に、データ送信のための無線チャネルを確立している間は、制御データはＵＥと基地局との間で共有あて先アドレスの上で通信できるので、データ損失は防止される。
【００１７】
本発明の別の視点は無線通信ネットワークにおける通信を行うための移動端末に関するものであり、前記移動端末は、
−共有あて先アドレスを有し、共有シーケンス番号とデータを運ぶペイロードとを含む送信ユニットを受信するための通信ユニットと、
−受信した送信ユニットを調べ、それらが正しく受信されたかを判定するよう構成された処理ユニットと、
−共有あて先アドレスと共有シーケンス番号とを有する送信ユニットに関連するタイマを備える測定ユニットとを備え、前記処理ユニットは、共有あて先アドレスと共有シーケンス番号とを有する初期送信ユニットが正しく受信されたときには、前記測定ユニットに対してタイマを起動するように命令するようさらに構成され、前記処理ユニットはさらに、タイマが満了した際には、予想される次の送信ユニットに対するシーケンス番号と、処理ユニットの受信ウインドウの上限値とを所定の初期値に再設定するよう構成される。
【００１８】
本発明のさらに別の視点は、無線通信ネットワークにおける通信のためのインフラストラクチャノードに関するものであり、前記インフラストラクチャノードは、
−共有あて先アドレスに送信されるべき、共有シーケンス番号とデータを運ぶペイロードとを含む送信ユニットを形成するよう構成される処理ユニットと、
−送信ユニットを共有あて先アドレスに送信するための通信ユニットと、
−共有あて先アドレスと共有シーケンス番号とを有する送信ユニットに関連する少なくとも１つのタイマを備える測定ユニットとを備え、前記処理ユニットは、共有あて先アドレスに初期送信ユニットが送信された際に、前記測定ユニットに対して前記１つ以上のタイマを起動するように命令するよう構成され、前記処理ユニットはさらに、タイマが満了した際には、予想される次の送信ユニットに対するシーケンス番号と送信ウインドウに対する上限値を所定の初期値に再設定するよう構成される。
【００１９】
最後に、本発明の別の視点は、移動端末における通信を管理するためのコンピュータプログラムに関するものであり、コンピュータプログラムは、
−共有あて先アドレスを有し、初期共有シーケンス番号とデータを運ぶペイロードとを含む初期送信ユニットを受信し、
−前記初期送信ユニットが正しく受信されたかを判定し、
−共通あて先アドレスと共通シーケンス番号とを有する送信ユニットに関連するタイマを起動し、
−タイマが満了したことを判定し、
−予想される次の送信ユニットに対するシーケンス番号の値と移動端末の中の受信機ウインドウの上限値を所定の初期値に再設定するための命令セットを有する。
【００２０】
無線通信ネットワークにおけるインフラストラクチャノードは、基地局、ノードＢ（ＮｏｄｅＢ）、アクセスポイント、または、本発明に従ったインフラストラクチャノードの機能を持つ他のノードであってよいと指摘することができる。
【００２１】
本発明は以下で、添付の図面に示された典型的な実施形態を参照して、限定的でない例として、かつより詳細に記述される。
【図面の簡単な説明】
【００２２】
【図１】本発明の１つの実施形態に従った方法のステップを示すフローチャートである。
【図２】本発明の１つの実施形態に従った移動端末をブロック図の形で示した図である。
【図３】本発明の１つの実施形態に従った基地局をブロック図の形で示した図である。
【図４】無線通信ネットワークにおける基地局と移動端末との間のシグナリングを示す図である。
【発明を実施するための形態】
【００２３】
図１〜図４に示す本発明の実施形態の記述を行う前に、よりよい理解のために、いくつかのパラメータと変数を定義する。
・パラメータ
受信機ウインドウサイズ（ＲＥＣＥＩＶＥ＿ＷＩＮＤＯＷ＿ＳＩＺＥ）
ＲＥＣＥＩＶＥ＿ＷＩＮＤＯＷ＿ＳＩＺＥは、以下の定義に従った受信機ウインドウのサイズである。これは、ＵＥの中のパラメータであり、パラメータの値はより高位のレイヤによって設定される。
・状態変数
ｎｅｘｔ＿ｅｘｐｅｃｔｅｄ＿ＴＳＮ：
ｎｅｘｔ＿ｅｘｐｅｃｔｅｄ＿ＴＳＮは、順序通りに受信した再順序付けＰＤＵの最後の送信シーケンス番号（ＴＳＮ）に続く送信シーケンス番号である。これは所定の手順に従って更新することができる。ｎｅｘｔ＿ｅｘｐｅｃｔｅｄ＿ＴＳＮの初期値は０である。
【００２４】
受信機ウインドウ（Ｒｅｃｅｉｖｅｒ  ｗｉｎｄｏｗ）：
この受信機ウインドウは、以下の手順に従って受信機ウインドウを伸張せずして受信機で受信することができる再順序付けＰＤＵの送信シーケンス番号を定義するものである。受信機ウインドウのサイズは、ＲＥＣＥＩＶＥ＿ＷＩＮＤＯＷ＿ＳＩＺＥに等しく、両端を含めてＲｃｖＷｉｎｄｏｗ＿ＵｐｐｅｒＥｄｇｅ−ＲＥＣＥＩＶＥ＿ＷＩＮＤＯＷ＿ＳＩＺＥ＋１からＲｃｖＷｉｎｄｏｗ＿ＵｐｐｅｒＥｄｇｅに至る送信シーケンス番号にわたる。
【００２５】
ＲｃｖＷｉｎｄｏｗ＿ＵｐｐｅｒＥｄｇｅ：
このＲｃｖＷｉｎｄｏｗ＿ＵｐｐｅｒＥｄｇｅは、受信機ウインドウの上端における送信シーケンス番号を表す。最初の再順序付けＰＤＵの受信が成功した以後は、それはまた、受信した全ての再順序付けＰＤＵの内の最も高い送信シーケンス番号を持つ再順序付けＰＤＵに対応する。ＲｃｖＷｉｎｄｏｗ＿ＵｐｐｅｒＥｄｇｅの初期値は６３に等しい。ＲｃｖＷｉｎｄｏｗ＿ＵｐｐｅｒＥｄｇｅは以下に与えられた手順に従って、新しく受信された再順序付けＰＤＵに基づいて更新される。
【００２６】
Ｔ１＿ＴＳＮ：
タイマＴ１が起動される際に再構成エンティティ（ｒｅａｓｓｅｍｂｌｙ  ｅｎｔｉｔｙ）に引き渡すことができない、最新のＭＡＣ−ｅｈｓ（エンハンスト高速メディアアクセス制御）ＳＤＵの送信シーケンス番号である。
【００２７】
全ての状態変数は非負の整数であることが望ましい。再順序付けＰＤＵは、０から６３に至る範囲を通して巡回する、整数を法とする送信シーケンス番号（ＴＳＮ）によって番号がつけられる。例として挙げる、ｎｅｘｔ＿ｅｘｐｅｃｔｅｄ＿ＴＳＮ、ＲｃｖＷｉｎｄｏｗ＿ＵｐｐｅｒＥｄｇｅ、Ｔ１＿ＴＳＮおよびＴＳＮ＿ｆｌｕｓｈに対する全ての算術演算は、６４を法として作用する。状態変数の値または送信シーケンス番号の値の算術比較を実行するときには、６４のモジュラス基底（ｍｏｄｕｌｕｓ  ｂａｓｅ）を使用することができる。このモジュラス基底は、関連する全ての値から差し引かれて（適切な範囲の中で）、そして絶対比較が実行される。ＲｃｖＷｉｎｄｏｗ＿ＵｐｐｅｒＥｄｇｅ−ＲＥＣＥＩＶＥ＿ＷＩＮＤＯＷ＿ＳＩＺＥ＋１はこの場合のモジュラス基底であると仮定することができる。
【００２８】
タイマ
再順序付け解放タイマ（Ｒｅ−ｏｒｄｅｒｉｎｇ  ｒｅｌｅａｓｅ  ｔｉｍｅｒ）（Ｔ１）：
この再順序付け解放タイマＴ１は、以下で記述するように、ＵＥの再順序付けバッファの中における停滞防止の制御を行う。Ｔ１の値は高位のレイヤによって設定される。
【００２９】
再設定タイマ（Ｔｒｅｓｅｔ）（ＦＤＤのみ）：
Ｔｒｅｓｅｔは、共通Ｈ−ＲＮＴＩが使用される場合にＭＡＣ−ｅｈｓの再順序付け機能の再設定を制御する。
【００３０】
図１について説明を行う。図１は、ＵＥの観点から見た、本発明の１つの実施形態に従った方法のステップを示す。簡単にするために、ＵＥは、ＨＳＤＰＡ機能が設備されている基地局のサービスエリアの中で動作していると仮定する。しかしながら、本発明に従った方法は、基地局またはアクセスポイントのサービスエリアの中にある移動端末が、基地局から受信するデータに対して共有あて先アドレスを使用し、データは番号付けされた送信ブロックの中で受信され、移動端末は、一定の受信機ウインドウを通してこれらの送信ブロックを受信し、再順序付けメカニズムを用いて送信ブロックを正しい順序に順序付けすることができるような、いかなる無線通信ネットワークにおいても適用可能であると指摘されなければならない。従って、下記ではＨＳＤＰＡでの実施形態に焦点を当てているが、これは、単に限定的でない例示であると見なされるべきである。
【００３１】
また我々は、ＵＥは基地局のサービスエリアに入ったばかりであり、まだ専用あて先アドレスを割り当てられておらず、同じサービスエリアの中に存在する他のＵＥと共有する共通Ｈ−ＲＮＴＩが割り当てられていると仮定する。ＨＳＤＰＡネットワークの場合には、専用あて先アドレスは専用Ｈ−ＲＮＴＩであるだろう。さらに我々は、ＵＥはＣＥＬＬ＿ＦＡＣＨ状態にあると仮定する。これは、ＵＥと基地局との間には、ＨＳ−ＤＳＣＨはまだ確立されていないことを意味する。これは以下で記述する本方法のステップ１００ないし１６０に対する出発点である。
【００３２】
ステップ１００において、ＵＥはｎｅｘｔ＿ｅｘｐｅｃｔｅｄ＿ＴＳＮパラメータを所定の初期値に初期化する。この値は、例えば０であってよい。その後にＵＥは、ステップ１１０において、ＵＥに向けられた初期転送ブロック（ｉｎｉｔｉａｌ  ＴＢ）を共通Ｈ−ＲＮＴＩの上で受信するステップを開始する。ここでまた、それぞれの転送ブロックは共通送信シーケンス番号を有する。共通送信シーケンス番号を有する転送ブロックは、転送ブロックヘッダの中のキューＩＤによって、それぞれの正しいＵＥに配送される。これは当業者には公知である。
【００３３】
それぞれのＵＥによって初期転送ブロックが受信された後に、ＵＥはステップ１２０において転送ブロックを正しく受信したか否かを検査する。この検査は巡回冗長検査（ＣＲＣ）または当業者に公知の他の方法等の方法によって行うことができる。従って本明細書では詳細には記述しない。
【００３４】
転送ブロックが正しく受信されなかった場合には、ステップ１２５において、ＵＥは受信した転送ブロックを記憶し、再びステップ１１０に戻り、再送信ブロックまたは新しい転送ブロックの受信を行う。そして、ＨＳ−ＤＳＣＨに対するＨＡＲＱを使用して、同じ転送ブロックの幾つかの送信の合成を試みることにより、正しい転送ブロックを作り出すことができる（ステップは図１には示されていない）。しかしながら、既知の技術によって提案されている解決策とは対照的に、基地局のサービスエリアに入ったばかりのＵＥに向けられ、正しく受信された初期転送ブロックは、その共通送信シーケンス番号がＵＥの受信機ウインドウの外側に存在する場合でも廃棄されることはない。背景技術の記述の中で指摘したように、このことは、２つ以上のＵＥが関与していて、それぞれが自分自身の受信機ウインドウを有しているならば生ずる可能性がある。その代わりに、ステップ１３０において、ＵＥが転送ブロックを正しく受信したと判定した場合には、ステップ１４０において、ＵＥはタイマＴｒｅｓｅｔが起動したか否かを検査する。もし起動していなければ、ＵＥはステップ１４５においてタイマＴｒｅｓｅｔを起動させる。そうでなくて、もしタイマが既に稼働していれば、タイマはステップ１５０において再起動される。この態様では、ＵＥによって受信されるものの、その共通送信シーケンス番号がＵＥの受信機ウインドウの外側に存在するならば通常廃棄されるであろう最初の転送ブロックは、ＵＥによって受け入れられ、従ってデータ損失は防止されるであろう。既に稼働しているタイマＴｒｅｓｅｔを再設定することにより、一時にはただ１つのタイマＴｒｅｓｅｔが稼働中であることが保証されるであろう。
【００３５】
ステップ１５５において、ＵＥは、正しく受信した転送ブロックをＵＥの再順序付けキューの中に記憶する。その後に、ステップ１６０においてＵＥはタイマＴｒｅｓｅｔが満了しているか否かを検査する。もし満了していなければ、ＵＥはステップ１１０に戻り、さらなる転送ブロックを受信し続ける。しかし、もしタイマＴｒｅｓｅｔが満了していれば、ステップ１７０においてＵＥはｎｅｘｔ＿ｅｘｐｅｃｔｅｄ＿ＴＳＮを再び初期値（例えば０等）に設定する。そして、ＲｃｖＷｉｎｄｏｗ＿ＵｐｐｅｒＥｄｇｅもまたその初期値に設定される。
【００３６】
Ｔｒｅｓｅｔが満了しているか否かを検査する理由は、送信ブロックが送信されない不活性時間区間を検出することができ、ＵＥによって予想される正しい初期送信シーケンス番号を持つ送信ブロックを受信することができ、それによって既知の技術によって提案されている幾つかの解決策の場合に生ずる初期送信の損失を防止することができるからである。
【００３７】
本発明は、予想される次の送信シーケンス番号の初期値に対して特別な値を使用する解決策の代替として、またはそれらに追加して適用することができる。さらに、図１に示された方法におけるタイマＴｒｅｓｅｔは、共有あて先アドレスが使用されるダウンリンクデータチャネルまたは制御無線チャネル上の送信を聴いている（ｌｉｓｔｅｎｉｎｇ  ｔｏ）ＵＥの任意の状態にも使用することが可能である。
【００３８】
上記で記述した方法のステップは、ＵＥの内部または外部メモリ（図示せず）の中で動作する命令ステップを備えたコンピュータプログラムによって実施するのに適しているという点が指摘されるべきである。
【００３９】
図２は本発明の１つの実施形態に従ったＵＥ２００を示す。ここで、ＵＥ２００は、通信ユニットＣＭＵ、メモリユニットＭＥＭ、測定ユニットＭＵ、処理ユニットＣＰＵ、および、ユーザインタフェースＵＩを装備する。
【００４０】
通信ユニットＣＭＵは、例えば、ＵＭＴＳ、ＨＳＤＰＡ、ＨＳＵＰＡ、ＬＴＥ、または他の無線通信ネットワーク等の、無線通信ネットワークにおいて通信を行うよう適合された受信機／送信機の組み合わせとして実施することができる。以下の記述はＨＳＤＰＡにおけるＵＥでの実施形態に焦点を当てているが、移動端末ＵＥは他の無線通信ネットワークの中でも同様に機能することが留意されるべきである。
【００４１】
さらに、メモリＭＥＭは、１つ以上の再順序付けバッファを備えることができ、順序どおりの送信ブロック全てがまだ配信されてはいない場合に、送信ブロックが再順序付けバッファに記憶される。それにより、それらがＰＤＵへの分解のために高位のレイヤに送信される前に、後で正しい順序に順序付けすることができる。これは当業者には公知である。
【００４２】
また、メモリＭＥＭは、内部または外部、またはそれら２つの合成であってよい。ここで、メモリの一部で再順序付けキューを備えていない部分においては、コンピュータプログラムを動作させることができ、コンピュータプログラムは、図１で記述されている方法のステップを実行するよう適合された命令セットを備えることができる。
【００４３】
さらに、測定ユニットＭＵは、少なくとも２つのタイマを備えることができる。そのうち、第１のタイマＴ１は当業者にとって公知であるが、第２のタイマＴｒｅｓｅｔは本発明に従ったＵＥの実施形態の一部である。測定ユニットの主たる仕事は、上記で記述したタイマの起動、再起動、終了（満了）の操作を実行すべき命令を、処理ユニットＣＰＵから受信して、それらを行うことである。
【００４４】
タイマＴ１の機能は当業者には十分に公知であるので、さらなる記述は行わない。一方、タイマＴｒｅｓｅｔの機能は、以前に述べたように、ＨＳＤＰＡでの実施形態における共通Ｈ−ＲＮＴＩ等の共有あて先アドレスに送信される、初期に送信された転送ブロックの廃棄を防止することである。
【００４５】
ＵＥ２００の処理ユニットＣＰＵは、当業者に公知の機能（測定ユニットＭＵの中のタイマＴ１等）を管理するよう適合される。またそればかりではなく、測定ユニットに命令してタイマＴｒｅｓｅｔを起動および再起動させるよう、さらに、タイマＴｒｅｓｅｔの長さを設定するよう適合される。従って、本発明に従ったＵＥ２００は、ＵＥ２００が基地局によるサービスのサービスエリアに入ったときにＨＳ−ＤＳＣＨを確立する間の、初期送信の損失を防止することができる。タイマＴｒｅｓｅｔの起動は、例で説明すれば、共通Ｈ−ＲＮＴＩ（ＵＥがＨＳＤＰＡネットワークにおいて動作している場合）上の送信を受信し、かつ、初期転送ブロックが正しく受信されたと判定をした際に、起動信号を測定ユニットＭＵに送信することによって実行することができる。転送ブロックの正しい受信は、例で説明すれば、ＣＲＣ検査によって処理ユニットＣＰＵの中で実施することができる。これは当業者には公知である。正しく受信されたもののｎｅｘｔ＿ｅｘｐｅｃｔｅｄ＿ＴＳＮより高い値の送信シーケンス番号を有する転送ブロックは、プロトコルスタックの高位のレイヤに、順序に従って後に配信するために、処理ユニットＣＰＵによってメモリＭＥＭの再順序付けバッファの中に記憶することができる。
【００４６】
さらに、処理ユニットは、タイマＴｒｅｓｅｔの状態を調べることにより、タイマＴｒｅｓｅｔがまだ稼働しており、かつ、別の転送ブロックが正しく受信されたことを検出したならば、測定ユニットＭＵにタイマＴｒｅｓｅｔを再起動するよう命令することができる。この態様では、１つのＵＥの中では１つのタイマＴｒｅｓｅｔだけが活性であることが保証される。
【００４７】
また、処理ユニットＣＰＵは、ｎｅｘｔ＿ｅｘｐｅｃｔｅｄ＿ＴＳＮ変数を所定の初期値に初期化するよう適合される。この所定の初期値は測定ユニットＭＵにタイマＴｒｅｓｅｔを起動するよう命令する前は、例えば０であってよい。
【００４８】
図２における本発明の実施形態に従った別の機能として、処理ユニットＣＰＵは、タイマＴｒｅｓｅｔが満了したか否かを検査し、ｎｅｘｔ＿ｅｘｐｅｃｔｅｄ＿ＴＳＮを所定の初期値に再設定するとともに、Ｒｅｃｅｉｖｉｎｇ＿Ｗｉｎｄｏｗ＿ＵｐｐｅｒＥｄｇｅを所定の初期値に設定するよう適合させることができる。
【００４９】
最後に、移動端末２００はまた、ＵＥ２００のユーザとＵＥ２００によって提供される機能との間の相互作用を容易にするためのユーザインタフェースＵＩを備える。このことは当業者には公知である。
【００５０】
図３は、本発明の一実施形態に従った基地局３００（または、通信ゲートウェイ）を示す。以下では基地局におけるＨＳＤＰＡでの実施形態を記述するが、それは単に例示であると見なすべきである。実際、本発明に従った基地局３００は、ネットワークの中で同様の機能を実行する、ノードＢ、基地局トランシーバ、アクセスポイント、または、インフラストラクチャノードとして、任意の無線通信ネットワークの中で使用することができる。これらの無線通信ネットワークにおいては、データは制御チャネルおよびデータチャネル上で送信され、サービスエリアの中の移動端末は、初期チャネル設定の段階では、１つの共通あて先アドレスを使用する。そして、転送ブロックの初期送信は、それが１つ以上のＵＥの受信機ウインドウの外に存在することによって、失われる危険性がある。従って、本基地局は、ＨＳＤＰＡ、ＨＳＵＰＡ（高速アップリンクパケットアクセス）、３ＧＰＰＬＴＥ（第３世代パートナーシッププロジェクトロングタームエボリューション）等のネットワーク、またさらに、他の無線通信ネットワークにおいて活性であることができる。基地局は、通信ユニットＣＭＵ、処理ユニットＣＰＵ、メモリＭＥＭ、および、測定ユニットＭＵを備える。
【００５１】
図２におけるＵＥの通信ユニットの機能と同様に、通信ユニットＣＭＵは、基地局３００のサービスエリアの中に位置する１つ以上のＵＥからデータを受信するための受信機および１つ以上のＵＥへデータを送信するための送信機の組み合わせを備える。また、通信ユニットＣＭＵは、無線ネットワーク制御装置（ＲＮＣ）からデータを受信、およびＲＮＣへデータを送信するよう適合される。
【００５２】
基地局３００の処理ユニットＣＰＵは、ＵＥに向けられたデータを受信し、それをメモリＭＥＭのバッファの中に記憶するよう適合される。ＨＳＤＰＡでの実施形態においてはこれらのバッファは優先キューの機能を有することができる。処理ユニットＣＰＵの別の機能は、メモリＭＥＭの中の１つ以上のバッファに記憶されているデータを検索し、それを転送ブロックに構成することである。当業者には公知であるように、処理ユニットＣＰＵは、このような１つの転送ブロックのヘッダ部分の中に送信シーケンス番号を追加し、ユーザデータまたは制御データを含む１つ以上のＰＤＵをこれらの転送ブロックのペイロード部分に添付することができる。
【００５３】
さらに、本発明に従った測定ユニットＭＵは、１つ以上のタイマＴｒｅｓｅｔを備えることができ、各タイマＴｒｅｓｅｔは、基地局３００のサービスエリアの中に位置する１つのＵＥに固有である。基地局３００のサービスエリアに入ってきて、制御データに対する専用あて先アドレス（ＨＳＤＰＡでの実施形態における専用Ｈ−ＲＮＴＩ等）を有さない新しいＵＥを基地局３００が登録するとき毎に、処理ユニットＣＰＵは、ｎｅｘｔ＿ｅｘｐｅｃｔｅｄ＿ＴＳＮを所定の初期値に初期化し、共有あて先アドレス（例えば、共通Ｈ−ＲＮＴＩ）上で制御データを送信するよう適合される。これにより、高速ダウンリンクチャネルを確立することができる。また処理ユニットＣＰＵは、共通あて先アドレスに制御データの送信を開始すると同時に、タイマＴｒｅｓｅｔを起動しｎｅｘｔ＿ｅｘｐｅｃｔｅｄ＿ＴＳＮ値を１だけ増加させるよう、測定ユニットＭＵに命令する。当業者には公知であるように、処理ユニットＣＰＵはまた、転送ブロックの再送信を開始することができる。この場合の転送ブロックはｎｅｘｔ＿ｅｘｐｅｃｔｅｄ＿ＴＳＮ値とは異なる送信シーケンス番号値を有するであろう。
【００５４】
処理ユニットＣＰＵが測定ユニットＭＵの中のタイマＴｒｅｓｅｔが満了したことを検出した後に、処理ユニットＣＰＵは、タイマＴｒｅｓｅｔ、ｎｅｘｔ＿ｅｘｐｅｃｔｅｄ＿ＴＳＮ、および、送信ウインドウを再起動するように測定ユニットに命令するよう適合される。この態様においては、基地局３００は、不活性である時間区間の後に、基地局３００のサービスエリアに新しく入ってきたＵＥに対して、ｎｅｘｔ＿ｅｘｐｅｃｔｅｄ＿ＴＳＮが単にさらに増加されるとしたならば起きるであろう初期データ損失を引き起こすことなく、再びデータの送信を開始することができる。
【００５５】
次に、図４はＵＥとノードＢとの間の通信の流れの例を図示したものである。
【００５６】
ＵＥとネットワークはともに再設定タイマＴ＿ｒｅｓｅｔを装備する。共通Ｈ−ＲＮＴＩを使用したそれぞれの送信の後に、タイマは起動（もし既に稼働していれば再起動）される。そして、満了すると、ネットワークおよびＵＥはともに、予想される次の送信シーケンス番号およびそのウインドウを、それらの初期値（０または送信シーケンス番号に対する特別な初期値）に設定する。
【００５７】
ノードＢの中にはそれぞれの共通Ｈ−ＲＮＴＩに対して１つの再設定タイマが存在する。ここで、これらのタイマは独立に動作することができる。これに対して、ＵＥの中にはただ１つの再設定タイマがあるだけでよい。これは、ＵＥはノードＢからのデータを１つの共通Ｈ−ＲＮＴＩを使用して、一時に受信だけを行うよう適合させることができるからである。
【００５８】
上記で挙げて記述した実施形態は、単に例として与えたものであり、本発明を限定するものであってはならない。下記で記述された特許請求の範囲の中で請求を行う、本発明の範囲の中にある他の解決策、使用、目標、および機能は、当業者には明らかであろう。
【図１】
2010530173.tif 000003
【図２】
2010530173.tif 000004
【図３】
2010530173.tif 000005
【図４】
2010530173.tif 000006
【国際調査報告】
2010530173.tif 000007
2010530173.tif 000008
2010530173.tif 000009
2010530173.tif 000010